(57)【要約】【課題】付属のお手入れブラシでフィルターに残った細塵を除去する操作を大幅に軽減させることができる集塵装置を提供する。【解決手段】掃除機本体（図示せず）の吸入口（図示せず）と連通し塵埃を捕集する集塵ケース８と、粗塵を捕集する上流フィルター（図示せず）と、細塵を捕集すると共に細塵を除去するジョジンレバー１３を備えた下流フィルター１０とを備え、前記下流フィルター１０の下流側全リブに対して、上端及び下端を薄肉構成、中央部を厚肉構成とした偏肉断面からなる骨子としたもので、ジョジンレバー１３の摺動による下流フィルター１０の振幅が大きくなり、ジョジンレバー１３による除塵性能が向上し、除塵後に下流フィルターに付着している塵埃が少なくなり、付属のお手入れブラシ（図示せず）での下流フィルター１０に残った細塵を除去する操作が軽減される。【選択図】図６
2011041617.tif 000002
【特許請求の範囲】
【請求項１】
掃除機本体の吸入口と連通し塵埃を捕集する集塵ケースと、粗塵を捕集する上流フィルターと、細塵を捕集すると共に前記細塵を除去する除塵手段を備えた下流フィルターとを備え、前記下流フィルターの下流側全リブに対して、上端及び下端を薄肉構成、中央部を厚肉構成とした偏肉断面からなる骨子としたことを特長とする集塵装置。
【請求項２】
上端及び下端の肉厚を、中央部の肉厚の６０％〜８０％とすることを特長とする請求項１に記載の集塵装置。
【請求項３】
下流フィルターの上端及び下端の肉厚を、１．０ｍｍ±０．１ｍｍとすることを特長とする請求項１又は２に記載の集塵装置。
【請求項４】
下流フィルターの下流側リブにおいて、隣り合うプリーツ面を連結する連結リブを設けた請求項１〜３のいずれか１項に記載の集塵装置。
【請求項５】
連結リブを一つ置きに、かつ上下２箇所に設け、前記上下２箇所の連結リブを同形状とすることを特長とする請求項４に記載の集塵装置。
【請求項６】
請求項１〜５のいずれか１項に記載された集塵装置を備えた電気掃除機。
【発明の詳細な説明】
【技術分野】
【０００１】
本発明は、電気掃除機などに使用され塵埃を捕集する集塵装置及びそれを用いた電気掃除機に関するものである。
【背景技術】
【０００２】
従来のこの種の集塵装置として、使い捨ての紙パックを利用するものと、再利用可能な集塵装置を利用するものがあるが、近年、経済的な集塵装置を利用した電気掃除機が増えている。図９は、従来の集塵装置の裏面図を示すもので、従来の集塵装置４０の外郭を形成すると共にゴミをためる集塵ケース４１に、粗塵を捕集する上流フィルター（図示せず）と、細塵を捕集すると共にプリーツ状に加工されたプリーツフィルター４２ａを有する下流フィルター４２の両方が回動自在に取着されて集塵ケース４１の蓋となるようになっており、前記下流フィルター４２には、手動もしくは外部の動力源により左右に摺動するジョジンレバー４３を設け、そのジョジンレバー４３を左右摺動させることにより、下流フィルター４２のレール部４２ｂをはじく。この振動によって、下流フィルター４２に付着した細塵を落とす構成となっている（例えば、特許文献１参照）。４２ｃはリブである。
【先行技術文献】
【特許文献】
【０００３】
【特許文献１】特開２００８−２２９３２号公報
【発明の概要】
【発明が解決しようとする課題】
【０００４】
しかしながら、従来の集塵装置４０の構成では、ジョジンレバー４３の摺動だけでは、下流フィルター４２のプリーツフィルターに付着した塵埃を完全に除塵できず、ジョジンレバー４３による除塵後に、プリーツフィルターに残った細塵を付属のお手入れブラシを使って除去する操作が必要となるため、非常に使用勝手が悪い、という課題があった。
【０００５】
本発明は、上記従来の課題を解決し、ジョジンレバーでの除塵性能を向上させて、付属のお手入れブラシでフィルターに残った細塵を除去する操作を大幅に軽減させることができる集塵装置及び電気掃除機を提供することを目的とする。
【課題を解決するための手段】
【０００６】
上記従来の課題を解決するために、本発明の集塵装置は、掃除機本体の吸入口と連通し塵埃を捕集する集塵ケースと、粗塵を捕集する上流フィルターと、細塵を捕集すると共に前記細塵を除去する除塵手段を備えた下流フィルターとを備え、前記下流フィルターの下流側全リブに対して、上端及び下端を薄肉構成、中央部を厚肉構成とした偏肉断面からなる骨子としたもので、除塵手段の摺動による下流フィルターの振幅が大きくなり、除塵手段による除塵性能が向上し、除塵後に下流フィルターに付着している塵埃が少なくなり、付属のお手入れブラシでの下流フィルターに残った細塵を除去する操作が軽減される。
【０００７】
又本発明の電気掃除機は、請求項１〜５のいずれか１項に記載された集塵装置を備えたもので、除塵手段での除塵性能が向上した電気掃除機を提供することができる。
【０００８】
以下、本発明の実施の形態について、図面を参照しながら説明する。なお、この実施の形態によって本発明が限定されるものではない。
【発明の効果】
【０００９】
本発明の集塵装置及び電気掃除機は、除塵手段の摺動による下流フィルターの振幅が大きくなり、従来と比較して除塵手段の除塵性能が向上し、除塵手段での除塵後に下流フィルターに付着している塵埃が少なくなり、付属のお手入れブラシで下流フィルターに残った細塵を除去する操作を軽減させることができる。
【図面の簡単な説明】
【００１０】
【図１】本発明の実施の形態１における集塵装置を搭載した電気掃除機の全体斜視図
【図２】（ａ）同電気掃除機の集塵装置の斜視図（係止部ロックの状態）、（ｂ）同集塵装置の斜視図（係止部解除の状態）
【図３】（ａ）、（ｂ）同集塵装置の下流フィルターの斜視図
【図４】（ａ）同集塵装置の裏面図、（ｂ）図４（ａ）のＢ−Ｂ断面図
【図５】（ａ）同集塵装置の下流フィルターの斜視図（偏肉断面リブ）、（ｂ）同集塵装置の下流フィルターの部分拡大図（偏肉断面リブ）
【図６】（ａ）同集塵装置の下流フィルターの斜視図（偏肉断面リブ）（ジョジンレバーで除塵している状態）、（ｂ）図６（ａ）のＣ−Ｃ断面図（偏肉断面リブ）
【図７】同集塵装置の下流フィルター（偏肉断面リブ）の部分拡大図
【図８】（ａ）同集塵装置の他の例を示す裏面図、（ｂ）図８（ａ）のＤ−Ｄ断面図（ジョジンレバーで除塵時）
【図９】（ａ）従来の集塵装置の裏面図（ジョジンレバーで除塵している状態）、（ｂ）図９（ａ）のＡ−Ａ断面図
【発明を実施するための形態】
【００１１】
第１の発明は、掃除機本体の吸入口と連通し塵埃を捕集する集塵ケースと、粗塵を捕集する上流フィルターと、細塵を捕集すると共に前記細塵を除去する除塵手段を備えた下流フィルターとを備え、前記下流フィルターの下流側全リブに対して、上端及び下端を薄肉構成、中央部を厚肉構成とした偏肉断面からなる骨子としたもので、除塵手段の摺動による下流フィルターの振幅が大きくなり、除塵手段による除塵性能が向上し、除塵後に下流フィルターに付着している塵埃が少なくなり、付属のお手入れブラシでの下流フィルターに残った細塵を除去する操作が軽減される。
【００１２】
第２の発明は、特に、第１の発明の上端及び下端の肉厚を、中央部の肉厚の６０％〜８０％としたもので、除塵手段の摺動による下流フィルターの振幅が大きくなり、従来と比較して、除塵手段の除塵性能が向上する。
【００１３】
第３の発明は、特に、第１又は第２の発明の下流フィルターの上端及び下端の肉厚を、１．０ｍｍ±０．１ｍｍとするもので、除塵手段の摺動による下流フィルターの振幅が大きくなり、従来と比較して除塵手段での除塵性能が向上する。
【００１４】
第４の発明は、特に、第１〜３のいずれか一つの発明の下流フィルターの下流側リブにおいて、隣り合うプリーツ面を連結する連結リブを設けたもので、従来以上の振動を達成することができ、従来と比較して除塵手段での除塵性能が向上する。そのため、除塵後に下流フィルターに付着している塵埃が少なくなり、付属のお手入れブラシで下流フィルターに残った細塵を除去する操作を軽減させることができる。
【００１５】
第５の発明は、特に、第４の発明の連結リブを一つ置きに、かつ上下２箇所に設け、前記上下２箇所の連結リブを同形状とするもので、従来に比べ、２倍の振動を達成することができ、従来と比較して除塵手段による除塵性能が向上する。そのため、除塵手段での除塵後に下流フィルターに付着している塵埃が少なくなり、付属のお手入れブラシで下流フィルターに残った細塵を除去する操作を軽減させることができる。
【００１６】
第６の発明に係る電気掃除機は、請求項１〜５のいずれか１項に記載された集塵装置を備えたもので、除塵手段での除塵性能が向上した電気掃除機を提供することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における集塵装置を搭載した電気掃除機の全体斜視図、図２は、同集塵装置の斜視図（係止部ロックの状態と係止部解除の状態）、図３は、同集塵装置の下流フィルターの斜視図、図４（ａ）は、同集塵装置の裏面図、図４（ｂ）は、図４（ａ）のＢ−Ｂ断面図、図５（ａ）は、同集塵装置の下流フィルターの斜視図（偏肉断面リブ）、図５（ｂ）は、同集塵装置の下流フィルターの部分拡大図（偏肉断面リブ）、図６（ａ）は、同集塵装置の下流フィルターの斜視図（偏肉断面リブ）（ジョジンレバーで除塵している状態）、図６（ｂ）は、図６（ａ）のＣ−Ｃ断面図（偏肉断面リブ）、図７は、同集塵装置の下流フィルター（偏肉断面リブ）の部分拡大図である。
【００１９】
図１において、本実施の形態における集塵装置７を搭載した電気掃除機は、掃除機本体１と、掃除機本体１の前方に設けた吸入口１ａに接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６と、塵埃を集塵する本実施の形態における集塵装置７が内蔵されている。
【００２０】
図２において、本実施の形態における集塵装置７は、構成部品を大きく分けると、外郭を構成する集塵ケース８と、集塵ケース８の後部を塞ぐように設けられた上流フィルター９と、その後方を塞ぐように設けられた下流フィルター１０から構成されている。上流フィルター９及び下流フィルター１０は、集塵ケース８の上方に設けられた２箇所のヒンジ固定部８ａに開閉（回動）可能に取り付けられている。
【００２１】
また、下流フィルター１０を保持する係止部１１は、集塵ケース８の両側の側面部下方に配置され、下流フィルター１０の下方両側に設けた被係止部１０ａと嵌合することによって集塵ケース８に保持される。係止部１１の解除操作を行うＵ字型形状の操作部品１２は、吸引風の流路となる集塵部８ｂ及び上流フィルター９と下流フィルター１０の外側に構成され、操作部品１２のアーム部１２ａ及び係止部１１は、集塵ケース８の両サイドに設けられ二重壁８ｃにより隔離された構成とする。
【００２２】
集塵ケース８の上方中央部には取り出し／持ち運び用のもち手８ｄを設け、近傍に、係止部１１の解除操作を行う操作部１２ｂが配置されている。操作部品１２の操作部１２ｂ以外の外観になる箇所は、集塵ケース８の外観形状に対して、係止部１１のかかり代と同等以上の段差を設け凹とする構成となっている。
【００２３】
下流フィルター１０は、上流フィルター９を通過した細かい塵埃を捕集する細塵用フィルターであり、図３に示すように、プリーツ加工（断面形状を波状に加工すること）されており、プリーツ加工された波状の山が上流フィルター９側になるように揃えてある。図４（ａ）に示すように下流フィルター１０の後側には、除塵手段であるジョジンレバー１３がホルダー１４と下流フィルター１０とで挟むことで保持されており、手動もしくは外部の動力源によりジョジンレバー１３は、左右に摺動することができ、その摺動時に下流フィルター１０のレール部１０ｂをはじくことで、下流フィルター１０に付着した細塵を落とす構成となっている。また下流フィルター１０の後側には、シール手段であるシール
パッキン１０ｃが設けられ、集塵装置７が掃除機本体１に収納されたとき、電気掃除機内で集塵装置７を密閉する構成となっている。
【００２４】
本実施の形態では、図５、６に示すように、下流フィルター１０の下流側全リブに対して、上端部１０ｄ及び下端部１０ｅを薄肉構成、中央部１０ｇを厚肉構成の偏肉断面からなる骨子としたものである。
【００２５】
以上のように構成された本実施の形態における集塵装置及び電気掃除機の動作、作用について以下に説明する。
【００２６】
本実施の形態では、下流フィルター１０の下流側全リブに対して、上端部１０ｄ及び下端部１０ｅを薄肉構成、中央部１０ｇを厚肉構成とした偏肉断面からなる骨子としているので、ジョジンレバー１３の摺動による振幅（Ｈ）は、従来のものに比較して大きくなり、その結果、従来と比較してジョジンレバー１３での除塵性能が向上する（図６参照）。そのため、ジョジンレバー１３での除塵後に下流フィルター１０に付着している塵埃は少なくなり、付属のお手入れブラシ（図示せず）で下流フィルター１０に残った細塵を除去する操作を大幅に軽減させることができる。
【００２７】
また、下流フィルター１０の下流側全リブに対して、上端部１０ｄ及び下端部１０ｅ  の肉厚Ｂを、中央部１０ｇの肉厚Ａの６０％〜８０％の範囲とすることにより、ジョジンレバー１３の摺動による振幅（Ｈ）は、現行に比較して大きくなり、従来と比較してジョジンレバー１３での除塵性能が向上している。
【００２８】
本実施の形態では、下流フィルター１０の下流側全リブに対して、上端部１０ｄ及び下端部１０ｅ  の肉厚Ｂを１．０ｍｍ±０．１ｍｍとしており、これにより、ジョジンレバー１３の摺動による振幅（Ｈ）は、従来品に比較して大きくなり、従来と比較してジョジンレバー１３での除塵性能が向上する。
【００２９】
また、図８に示すように、下流フィルター１０に設けた下流側リブにおいて、隣り合うプリーツ面を連結させる連結リブ１０ｆを設けた場合、現行以上の振動を達成することができ、従来と比較してジョジンレバー１３での除塵性能をさらに向上させることができる。そのため、ジョジンレバー１３での除塵後に下流フィルター１０に付着している塵埃は一層少なくなり、付属のお手入れブラシで下流フィルター１０に残った細塵を除去する操作を更に軽減することができる。
【００３０】
また、隣り合うプリーツ面を連結させる連結リブ１０ｆを一つ置きに、しかも上下にそれぞれ設け、その上下２箇所の連結リブ１０ｆを同形状とすることで、従来比２倍の振動を達成することができ、従来と比較してジョジンレバー１３での除塵性能を一層向上させることができる。そのため、ジョジンレバー１３での除塵後に下流フィルター１０に付着している塵埃は少なくなり、付属のお手入れブラシで下流フィルター１０に残った細塵を除去する操作を大幅に軽減することができる。
【産業上の利用可能性】
【００３１】
以上のように、本発明に係る集塵装置は、除塵性能が向上し、除塵後に下流フィルターに付着している塵埃が少なくなるので、ごみ捨て時のお手入れ性が大幅に向上するもので、各種電気掃除機に適用できる。
【符号の説明】
【００３２】
１  気掃除機本体
１ａ  吸入口
２  ホース
３  接続パイプ
４  延長管
５  吸込具
６  電動送風機
７  集塵装置
８  集塵ケース
８ａ  ヒンジ固定部
８ｂ  集塵部
８ｃ  ２重壁
８ｄ  持ち手部
９  上流フィルター
１０  下流フィルター
１０ａ  被係止部
１０ｂ  レール部
１０ｃ  シールパッキン
１０ｄ  上端部
１０ｅ  下端部
１０ｆ  連結部
１０ｇ  中央部
１１  係止部
１２  操作部品
１２ａ  アーム部
１２ｂ  操作部
１３  ジョジンレバー（除塵手段）
１４  ホルダー
【図１】
2011041617.tif 000003
【図２】
2011041617.tif 000004
【図３】
2011041617.tif 000005
【図４】
2011041617.tif 000006
【図５】
2011041617.tif 000007
【図６】
2011041617.tif 000008
【図７】
2011041617.tif 000009
【図８】
2011041617.tif 000010
【図９】
2011041617.tif 000011